(57)【要約】【課題】コンパスで半径の寸法取りをする際、コンパスの中心針によって０目盛がひっかかれ、傷つけられる事を防ぐこと。又、定規に０．５ｍｍ刻みの寸法目盛がなくても０．５ｍｍ端数の半径の寸法取りを正確に行えること。【解決手段】０目盛上にコンパスの中心針を刺し入れる穴１を形成すると共に穴１から定規の長さを測る方向に０．５ｍｍずらした位置にコンパスの中心針を刺し入れるもう１つの穴２を形成する。【選択図】図１
2018108715.tif 000002
【特許請求の範囲】
【請求項１】
寸法目盛を有する定規の０目盛上にコンパスの中心針を刺し入れる穴を形成すると共に前記穴から定規の長さを測る方向に０．５ｍｍずらした位置にコンパスの中心針を刺し入れるもう１つの穴を形成した事を特徴とする寸法目盛を有する定規。
【発明の詳細な説明】
【技術分野】
【０００１】本発明は寸法目盛を有する定規に係わり、詳しくは０目盛上にコンパスの中心針を刺し入れる穴を有するものに関する。
【背景技術】
【０００２】一般にコンパスで円を描く時は定規の０目盛上にコンパスの中心針を刺し当てて寸法取りするが（鉛筆などの芯先を求める寸法目盛に当てて寸法取りする）。目盛がコンパスの中心針によってひっかかれ、傷つけられる。又、通常の定規では０．５ｍｍ刻みの目盛がない物、例えば３０．５ｍｍの半径の円（直径は６１ｍｍ）を描く為の寸法取りが正確にできない欠点があった（０．５ｍｍ刻みの目盛を付けると寸法目盛全体が細かすぎて読みにくくなる）。
【発明の開示】
【発明が解決しようとする課題】
【０００３】本発明の目的はコンパスで半径の寸法取りをする際、コンパスの中心針によって目盛がひっかかれて傷つけられるのを防ぐ事にあり、もう１つの目的は定規に０．５ｍｍ刻みの寸法目盛がなくても０．５ｍｍ刻みの半径の寸法取りを正確に行なう事である。
【課題を解決する為の手段】
【０００４】本発明は上記目的を達成する為、寸法目盛を有する定規の０目盛上にコンパスの中心針を刺し入れる穴を形成すると共に、前記穴から定規の長さを測る方向に０．５ｍｍずらした位置にコンパスの中心針を刺し入れるもう１つの穴を形成する様にした。
【発明の効果】
【０００５】本発明によれば定規の０目盛上にコンパスの中心針を刺し入れる穴が形成されているので、寸法取りの際、コンパスの中心針が０目盛上で滑って０目盛をひっかき傷つける事はない。
又、前記穴から０．５ｍｍずらしたもう１つの穴が形成されている為、０．５ｍｍ刻みの目盛がないにも拘らず正確に、例えば３０．５ｍｍの半径の寸法取りができる。
【発明を実施する為の形態】
【０００６】図１は本発明による寸法目盛を有する定規（直線定規、三角定規など）で、０目盛上にコンパスの中心針を刺し入れる穴１（貫通、又は貫通していない穴―直径０．５ｍｍ位）が形成されており、この穴１から定規の長さを測る方向に０．５ｍｍずらした位置に穴２が形成されている。穴１と穴２はそのままではつながってしまう為、Ｓだけオフセットさせており（例えばＳ＝１．５ｍｍ位）、これによる誤差は半径が３０．５ｍｍの場合で０．０４ｍｍとほぼ０であり、全く問題ない。寸法取りの半径が整数、例えば３０ｍｍの場合はコンパスの中心針を穴１に刺し入れて寸法取りするが、０．５ｍｍの端数が付く場合、例えば３０．５ｍｍの場合は穴２にコンパスの中心穴を刺し入れて３０ｍｍの寸法目盛にコンパスの鉛筆の芯先を合わせれば３０＋０．５＝３０．５ｍｍとなり、求める寸法取りができる（この場合、３０ｍｍの寸法目盛があるから、正確に寸法取りできる）。
又、コンパスの中心針は穴１に刺し入れるから、滑って目盛をひっかく事はなく、傷つける事がない。尚、穴２は０目盛を境界にして０．５ｍｍずらして穴２の反対側に穴２′を形成しても良い（穴２′にコンパスの中心針を刺し入れる場合は３１ｍｍの寸法目盛で寸法取りを行ない、こうすれば３１−０．５＝３０．５ｍｍとなる）。
【０００７】通常のコンパスでは大きな円、例えば半径が１４ｃｍ以上の円は脚が大きく開き過ぎてうまく描けないことがある。これを解決するには図２（イ）の様に寸法目盛を有する定規に中心穴３と芯先穴４（多数あり）とを形成した定規を使うのが良い。穴径は両者共１〜１．５ｍｍの貫通穴とする。芯先穴４は５ｍｍ間隔の穴とその中間を埋める穴とで構成すれば大体必要とする円、円弧は描ける。使い方は中心穴３に針状のもの（コンパスの中心針、押しピンなどの針等）を挿入して描こうとする紙に刺し、目標とする半径に相当する芯先穴４にボールペン、鉛筆などの芯先を入れて中心穴３を中心としてグルグルと１回転させれば円が描ける。図２（ロ）は１ｍｍ間隔の半径の円が描ける定規で、芯先穴５は（菱形であり、細い溝により互いに繋がっている）２ｍｍ間隔でり、中心穴３を使えば２ｍｍ間隔の半径（偶数半径）の円が描ける。一方、中心穴３より１ｍｍ左側にある穴３′を使えば奇数半径の円が描ける。例えば１８１ｍｍの半径の円は１８０ｍｍの寸法目盛の芯先穴５を使うと共に中心穴３′を使えば１８０＋１＝１８１ｍｍとなって前記円が描ける。中心穴３′は中心穴３より３ｍｍ位オフセットさせているが、これによる誤差は半径１８１ｍｍの円で０．０１ｍｍで、ほぼ０である。
この場合、中心穴３より右側に１ｍｍずらした中心穴３″を使っても１８１ｍｍの半径の円を描く事ができる（１８２ｍｍの寸法目盛の芯先穴５を使えば１８２−１＝１８１ｍｍとなる故）。図２（ロ）において芯先穴５を分割して図２（ハ）の様にその分割した間を芯先穴５′で補なう様にすれば、定規の強度が増す。
【０００８】コンパスは使っている内に脚に摩擦力を与えるねじが弛んでうまく円を描けなくなる事がある。特に大きな円を描く時は脚を大きく開くので、コンパスを回すと半径が勝手に大きくなり、困る事がある。これを解決するにはねじの締付け力を常にベストに調節できる様にするのが良く、図３（イ）の様に蝶ねじ６を使う事が考えられる。
ねじが弛んだら蝶ねじ６は指先で回せるから（ねじドライバーは不要）、少しきつく締め直せば良いのである。図３（ロ）は蝶ねじ６の蝶部を履う蝶部カバー７を付けて美麗化したものであり、図３（ハ）は蝶部カバー７を有する円筒カバー８を蝶ねじ６に被せて、蝶ねじが不用意に何かに当って回る事によって弛む事がない様にしたものである。図３（ニ）はコンパスを回す軸に嵌め込んで、その長さを延長する事で長い鉛筆（ボールペン等も含む）の使用を可能にしたもので、この延長軸サック９の先端にねじ回し部１０（＋、又は−）を形成したものである。コンパスのねじが弛んだ時は延長軸サック９を取り外してそのねじ回し部１０によりねじを締め付けて調節する。図３（ホ）はコンパスの鉛筆に嵌め込む鉛筆サック１１にねじ回し部１０を形成したものである。図３（ヘ）は鉛筆ではなく鉛筆の芯そのもので円を描くコンパス２において、鉛筆の芯（予備用）を入れておくケース１２にねじ回し部１０を形成したものである。図３（ト）は短かい鉛筆でも持ち易くする鉛筆サック１３にねじ回し部１０を形成したものである。いずれもコンパスのねじが弛んだ時は、ねじ回し部１０によりねじを締め付けてベストに調整する。
【０００９】（永久）磁石付きクリップで沢山の札紙などを挟んでおき、一番上の札紙から順次使用してゆく場合があるが、一番上の札紙を取り外す時は先ず全体をクリップから取り外して一番上の札紙を取り去り、次に残りの札紙をクリップに戻して保持しておく事になるが、２回もクリップの開閉を行なう必要があり、面倒である。しかも、一般には磁石付きクリップは強力で開く時の力が大で大変である。以上の欠点を解消するには図４（イ）のクリップを使用するのが良い。図４（イ）において前記クリップは回動中心１６を中心に回動する挟み片１４、１５とバネとから成り、鉄板などに取り付けて使用する為の磁石が付いている。挟み片１５にはＡ矢視を示す図４（ロ）の如くローラー１７（図では２個でああるが３個、又は中央に１個でも良い）が備えられ、ローラー１７の回転軸は軸受部１８により回転支持されている。使い方は図４（ハ）の如く一方の手で一番上の札紙を掴み、残りの札紙をもう一方の手で掴んで図示の如く一番上の札紙をローラー１７の回転方向と一致する様に横に引くとローラー１７の摩擦は非常に小さいから、容易にクリップを開く事なく引き抜く事ができる。ローラー１７をＥＶＡ樹脂、合成ゴムなどの高摩擦材料で作ると大きな保持力を維持する事ができる（ローラー１７は回転するから、依然として横に札紙を引く力は非常に小さくて済む）。尚、ローラー１７は図４（ニ）の如く斜めに備えても良い。
【図面の簡単な説明】
【００１０】
【図１】本発明による寸法目盛を有する定規の図。
【図２】大きな円を描ける定規の図。
【図３】コンパスのねじを適正に締め付けられる構造の図。
【図４】クリップを示す図。
【符号の説明】１・２・２′は穴、３・３′・３″は中心穴、４・５・５′は芯先穴、６は蝶ねじ、７は蝶部カバー、８は円筒カバー、９は延長軸サック、１０はねじ回し部、１１は鉛筆サック、１２はケース、１３は鉛筆サック、１４・１５は挟み片、１６は回動中心、１７はローラー、１８は軸受部である。
【図１】
2018108715.tif 000003
【図２】
2018108715.tif 000004
【図３】
2018108715.tif 000005
【図４】
2018108715.tif 000006